(57)【要約】      （修正有）【課題】発光装置への通電を制御した後、上部発光体および下部発光体の発光を変更する二段階操作により制御の発光ペンを提供する。【解決手段】軸筒下方の透明先端部２を時計回りに回動させると、発光装置５は非通電状態を保持し、その状態で軸筒上端のボタン７を押圧しても上部発光体５５ａおよび下部発光体５５ｂは発光しない。反対に、透明先端部２を逆時計回りに回動させると発光装置５は半通電状態となり、このときボタン７を押圧することによって上部発光体５５ａまたは下部発光体５５ｂを発光させることができ、上部発光体５５ａを発光させた場合、ボタン７内に設置したスライドフィルム８のスライド画像を投影することができ、下部発光体５５ｂを発光させた場合、光線を下方に投射して夜間の筆記作業に使用することができる。【選択図】図４
0003143014.tif 000002
【実用新案登録請求の範囲】
【請求項１】
軸筒と、
前記軸筒下端に設置され、該軸筒に対して回動操作される透明先端部と、
前記透明先端部内に設置され、筆記器具としてのリフィルセットと、
前記軸筒内に設置され、回動スリーブおよび位置決め筒部を有し、該回動スリーブは前記透明先端部と接続されて前記透明先端部の回動操作により共に回動するスイッチ部と、
電池、上部発光体および下部発光体を有し、前記回動スリーブの回動によって、電源のオン／オフが行なわれる発光装置と、
前記スイッチ部上に設置され、回動して前記上部発光体および下部発光体の発光のオン／オフ切換する制御部と、
前記軸筒上に設置され、軸方向への押圧操作によって前記制御部を回動させるボタンと、を備えることを特徴とする二つの発光体の発光を二段階操作により制御する発光ペン。
【請求項２】
前記スイッチ部は、前記透明先端部と接合される回動スリーブと、前記回動スリーブの回動角度の規制に使用される位置決め筒部と、から構成され、
前記発光装置は、上部発光体が設置される上部発光台と、下部発光体が設置され、前記回動スリーブと同時に回動する下部発光台と、から構成され、
前記下部発光台は、前記回動スリーブに係合される位置決めスリーブと、下半分が前記位置決めスリーブ内に挿入される内管と、から構成され、
前記内管の上半分は前記電池を被覆して前記上部発光台内に挿入され、下半分は下部発光体を被覆し、前記位置決め筒部と前記上部発光台とはお互いに係合されて前記軸筒内で回動せず、前記上部発光台両側には第１のリードおよび第２のリードがそれぞれ設置され、前記上部発光体および下部発光体の第１のピンは前記電池の正極および負極とそれぞれ接触することを特徴とする請求項１記載の二つの発光体の発光を二段階操作により制御する発光ペン。
【請求項３】
前記制御部の底部には、導電部材が設けられ、前記導電部材は前記制御部が回動したとき、前記第１のリードの上端部および前記上部発光体の第１のピンと接続されるか、或いは第２のリードの上端部および前記上部発光体の第２のピンと接続されて、前記上部発光体または前記下部発光体を発光させることを特徴とする請求項２記載の二つの発光体の発光を二段階操作により制御する発光ペン。
【請求項４】
前記第１のリードおよび第２のリードは、前記上部発光台の左右両側に沿って配置され、前記第１のリードおよび第２のリードの上端部と前記上部発光体の第１のピンおよび第２のピンとは平行で接触せず、下端部と下部発光体の第１のピンおよび第２のピンとは交差接触するか、接触しないようにしたことを特徴とする請求項２記載の二つの発光体の発光を二段階操作により制御する発光ペン。
【請求項５】
前記位置決め筒部の内壁には、凸条が設けられ、前記上部発光台外壁は前記凸条に対応した位置決め案内溝を有し、前記上部発光台は前記位置決め筒部の係合を受けて回動しないようにしたことを特徴とする請求項２記載の二つの発光体の発光を二段階操作により制御する発光ペン。
【請求項６】
前記回動スリーブ上端は、位置決め溝を有し、前記位置決め筒部底部は、前記位置決め溝に対応して回動スリーブの回動角度を規制する固定部を有することを特徴とする請求項２記載の二つの発光体の発光を二段階操作により制御する発光ペン。
【請求項７】
前記回動スリーブ内壁は、対称に設置された長形の第１の位置決め溝および長形の第２の位置決め溝を有し、前記位置決めスリーブは前記回動スリーブ内に設けられ、前記位置決めスリーブ外壁両側には前記第１の位置決め溝および第２の位置決め溝に対応して嵌入される第１の位置決め凸条および第２の位置決め凸条が設けられたことを特徴とする請求項２記載の二つの発光体の発光を二段階操作により制御する発光ペン。
【請求項８】
前記上部発光台の上端には、上部発光体に設置されるタペットが固定され、前記タペット下部は上部発光台内壁の係合溝内に嵌合される弾性フックを有し、前記上部発光体の第１のピンおよび第２のピンは前記タペットを貫通し、第１のピンの底端は導電部材によって前記電池と接触することを特徴とする請求項２記載の二つの発光体の発光を二段階操作により制御する発光ペン。
【請求項９】
前記内管は、二つの対称のケーシングから構成され、前記ケーシングは上半分および下半分に分けられ、上半分は管径が大きく、電池が収容される挟持台が形成され、下半分は管径が小さく、下部発光体およびリフィルセットが収容されるビーム管が形成され、前記内管の外壁は二つの外部に対称に突出した第１の位置決め凸部および第２の位置決め凸部を有し、下部発光体の第１のピンおよび第２のピンの先端は前記第１の位置決め凸部および第２の位置決め凸部上に設けられ、前記第１の位置決め凸部および第２の位置決め凸部は前記位置決めスリーブ両側の第１の位置決め凸条および第２の位置決め凸条上端の挟持溝内にそれぞれ嵌入され、それによって前記内管は前記位置決めスリーブと同時に回動することを特徴とする請求項２記載の二つの発光体の発光を二段階操作により制御する発光ペン。
【請求項１０】
前記制御部は、前記スイッチ部上に設置されるガイドと、前記ガイド内に設けられ、上端がボタン底端と接合される中空の上部ジョイントと、一端が前記ガイド内に設けられ、前記上部ジョイント下部に位置する中空の下部ジョイントと、から構成され、前記上部ジョイントと下部ジョイントとはラチェットによって歯合され、前記導電部材は下部ジョイント底面に少なくとも一つ設置されることを特徴とする請求項３記載の二つの発光体の発光を二段階操作により制御する発光ペン。
【請求項１１】
前記ボタンは、底端が前記制御部上に直列接続される中空の押圧台と、前記押圧台内に設けられる第１のレンズと、前記押圧台内に設置され、前記第１のレンズ上に位置する中空の押圧ヘッドと、前記押圧ヘッド上端に設けられる第２のレンズと、から構成され、前記押圧ヘッド下部はスライドフィルムが設置されるスライド溝を有し、上端は第２のレンズが設置されるレンズ溝を有することを特徴とする請求項１記載の二つの発光体の発光を二段階操作により制御する発光ペン。
【考案の詳細な説明】
【技術分野】
【０００１】
本考案は、二つの発光体の発光を二段階操作により制御する発光ペンに関する。
【背景技術】
【０００２】
発光ボールペンは、すでに国内外の特許文献および日常生活においてよく見られる。その発光方式は、発光体（例えばＬＥＤ）をペンの上端に設置して照明または娯楽性を有するライトとして使用するもの、発光体をペンの下端に設置して夜間の筆記作業に使用するものおよび発光体をペンの中部に設置して商標またはペン軸筒表面の図案を目立たせるものに分類される。
【０００３】
上述の発光体の制御方式は、その多くがペン上端のボタンスイッチによって発光体の発光を制御する方式であり、少数ではあるが、上下の二つの軸筒の一つの軸筒を回動させて発光体の発光を切換えたり、軸筒表面のボタンを押圧して発光体の発光を制御するものも存在する。
【０００４】
従来技術のペンの上端にボタンスイッチを有するボールペンにおいては、内部の発光体を発光させるにはボタンを数回押圧して発光体を発光させる必要があり、例えば、ボタンを３回押圧することによって発光体が１回発光する。これはボタンスイッチが発光体の発光、リフィルの突出または発光体の消灯およびリフィルの収納の三つの動作を制御しなければならないことによる。ボールペンに上下二つの発光体が設置されたとき、６回ボタンを押圧することによって上部発光体および下部発光体を１回発光させることができる。従って、操作時、ボタンの押圧回数を減少させることができる場合（例えば、ボタンを２回押圧することによって二つの発光体の中の一つを発光させる）、操作が非常に便利になる。
【０００５】
また、ボールペンを使用しない状態のとき、使用者が意図せずボタンを押圧したり、軸筒を回動させたり、誤って軸筒表面のボタンを押圧したりした場合、発光体が発光して無駄な電力を消費するので、如何にしてこの問題を解決するかは当該技術に熟知する者が解決したい問題であった。
【０００６】
また、両方向に発光するボールペンにおいて、上部発光体は照明としての用途しかなく、仮にボールペンがスライド装置機能を備えた場合、発光ペンの娯楽性を高めることができる。
【特許文献１】特開２００５−１２５７９７号公報
【考案の開示】
【考案が解決しようとする課題】
【０００７】
本考案の第１の目的は、操作時のボタン押圧回数を減少できる二つの発光体の発光を二段階操作により制御する発光ペンを提供することにある。
本考案の第２の目的は、誤った操作によって電力が浪費されることがない二つの発光体の発光を二段階操作により制御する発光ペンを提供することにある。
本考案の第３の目的は、スライド装置としての機能を有する二つの発光体の発光を二段階操作により制御する発光ペンを提供することにある。
【課題を解決するための手段】
【０００８】
上述の課題を解決するために、本考案は二つの発光体の発光を二段階操作により制御する発光ペンを提供するものであり、軸筒と、軸筒下端に設置され、操作して回動させることができる透明先端部と、透明先端部内に設置され、筆記作業に使用されるリフィルセットと、
軸筒内に設置される回動スリーブおよび位置決め筒部を有し、回動スリーブは透明先端部と接続されて透明先端部と共に回動するスイッチ部と、電池、上部発光体および下部発光体を有し、回動スリーブの回動によって、電源のオン／オフが行なわれる発光装置と、スイッチ部上に設置され、上部発光体および下部発光体の発光のオン／オフ切換に使用される制御部と、軸筒上に設置され、軸方向への押圧によって制御部を回動させるボタンと、を備える。
【０００９】
スイッチ部は、透明先端部と接合される回動スリーブと、回動スリーブの回動角度の規制に使用される位置決め筒部と、から構成され、発光装置は、上部発光体が設置される上部発光台と、下部発光体が設置され回動スリーブと同時に回動する下部発光台と、から構成され、下部発光台は、回動スリーブに係合される位置決めスリーブと、下半分が位置決めスリーブ内に挿入される内管と、から構成され、内管の上半分は電池を被覆して上部発光台内に挿入され、下半分は下部発光体を被覆し、位置決め筒部と上部発光台とはお互いに係合されて軸筒内で回動せず、上部発光台両側には第１のリードおよび第２のリードがそれぞれ設置され、上部発光体および下部発光体の第１のピンは電池の正極および負極とそれぞれ接触する。
【００１０】
制御部の底部には導電部材が設けられ、導電部材は制御部が回動したとき、第１のリードの上端部および上部発光体の第１のピンと接続されるか、或いは第２のリードの上端部および上部発光体の第２のピンと接続され、上部発光体または下部発光体を発光させる。
【考案の効果】
【００１１】
透明先端部を回動させることによって発光装置への通電が制御され、ボタンによって上部発光体または下部発光体の発光が選択されるので、ボタンを２回押圧することによって上部発光体または下部発光体を発光させることができ、従来技術のように一つの発光体を発光させるためにボタンを６回も押圧する必要がない。
透明先端部を回動させることによって発光装置への通電が制御され、発光装置が未通電状態のとき、ボタンを如何に押圧しても上部発光体および下部発光体は発光しないので、使用者が誤ってボタンを押圧した場合でも発光体が発光して電力が浪費されることがない。
ボタン内に第１のレンズ、第２のレンズおよびスライドフィルムが設置され、上部発光体を発光させたとき、光線は第１のレンズ、第２のレンズおよびスライドフィルムを通過したあと、スライドフィルムの図案が拡大されて受光物表面に投射されるので娯楽性のある投影効果を達成できる。ボタン内にスライドフィルムが設置されていないとき、光線は第１のレンズおよび第２のレンズから直接放射されるので、懐中電灯のような照明効果を達成でき、ボタンは照明およびスライドの機能を有する。
【考案を実施するための最良の形態】
【００１２】
本考案の実施例を図面に沿って詳細に説明する。
【００１３】
図１は、本考案の発光ペンを示す分解斜視図である。図２は本考案の発光ペンのスイッチ部４、発光装置５および制御部６の構造を示す分解斜視図である。図３は本考案の発光ペンを示す斜視図である。図４は本考案の発光ペンを示す断面図である。
【００１４】
図に示すように、本考案の二つの発光体の発光を二段階操作により制御する発光ペンは、軸筒１、透明先端部２、レフィルセット３、スイッチ部４、内部に電池９を有する発光装置５、制御部６およびボタン７を備える。
【００１５】
軸筒１は、中空の円筒管であり、透明先端部２が軸筒１の下端に設けられ、手動で回動させることができる。レフィルセット３は、レフィル３０に拡張ばね３１が配置され、透明先端部２内に設置される。レフィル３０内にはインクが充填され、筆記作業に使用される。スイッチ部４は軸筒１内に設けられ、透明先端部２と接続され、回動スリーブ４０を有する。回動スリーブ４０は、透明先端部２の回動に従って同時に回動する。発光装置５内部には電池９を含む上部発光体５５ａおよび下部発光体５５ｂが設けられ、スイッチ４の回動スリーブ４０の回動によって通電するかしないか（オン／オフ）が操作される。制御部６はスイッチ部４上に設けられ、上部発光体５５ａおよび下部発光体５５ｂの発光の切換に使用される。ボタン７は、軸筒１上端に設けられ、制御部６を回動させて角度を変更するのに使用される。
【００１６】
スイッチ部４は、透明先端部２と接合される回動スリーブ４０と、回動スリーブ４０の回動角度を規制する位置決め筒部４１と、によって構成される。発光装置５は、上部発光体５５ａが設けられる上部発光台５０と、下部発光体５５ｂが設けられ、回動スリーブ４０と同時に回動する下部発光台５２と、によって構成される。下部発光台５２は回動スリーブ４０と係合される位置決めスリーブ５３と、下半分が位置決めスリーブ５３内に挿入される内管５４と、から構成され、内管５４の上半分は電池９を被覆して上部発光体台５０内に挿入され、下半分は下部発光体５５ｂを被覆する。位置決め筒部４１と上部発光台５０とはお互いに係合されて軸筒１内で回動しない。図２に示すように、上部発光台５０両側には第１のリード５０３および第２のリード５０４がそれぞれ設置され、上部発光体５５ａの第１のピン５５１および下部発光体５５ｂの第１のピン５５３は電池９の正極および負極とそれぞれ接触する。
制御部６底部には導電部材６１１が設けられ、導電部材６１１によって第１のリード５０３の上端部５０３ａと上部発光体５５ａの第１のピン５５１とが接続されるか、第２のリード５０４の上端部５０４ａと上部発光体５５ａの第２のピン５５２とが接続され、上部発光体５５ａまたは下部発光体５５ｂを発光させることができる。本構造および発光動作の説明は後で述べる。
【００１７】
軸筒１は、スリーブ１０と、スリーブ１０上端に設けられてボタン７を固定する上部位置決めリング１１およびクリップ１３と、軸筒１０下端に設けられる下部位置決めリング１２と、から構成される。下部位置決めリング１２と軸筒１との間は螺合または嵌合によって一体に接合され、透明先端部２を取り外して、スイッチ部４内の下部発光台５２を取り出すことができ、電池９交換を迅速に行なうことができる。
【００１８】
図２に示すように、位置決め筒部４１が係合されて回動しない上部発光台５０の第１のリード５０３および第２のリード５０４は上部発光台５０の左右両側に組み込まれ、第１のリード５０３の上端部５０３ａおよび第２のリード５０４の上端面５０４ａが上部発光台５０の上面から外部に露出する。
【００１９】
上部発光体５５ａはタペット５１上に設けられ、タペット５１下部は弾性フック５１１を有し、上部発光台５０の係合溝５０２内に嵌合される。上部発光体５５ａの第１のピン５５１および第２のピン５５２はタペット５１を上下に貫通し、第１のピン５５１底端は導電部材５５５によって電池９の負極と接触し（図１３、１４を参照）、第２のピン５５２の底端は導電部材５５５と接触しない。第１のピン５５１の先端５５１ａおよび第２のピン５５２の先端５５２ａは上部発光台５０上端の嵌合溝５０５、５０６内に嵌合され、上部発光台５０の第１のリード５０３の上端部５０３ａおよび第２のリード５０４の上端部５０４ａは折曲後、上部発光台５０上端の嵌合溝５０７、５０８内に嵌合される。図２に示すように、嵌合溝５０５と嵌合溝５０７との間および嵌合溝５０６と嵌合溝５０８との間にはそれぞれ間隔が保持され、それによって上部発光体５５ａの第１のピン５５１の先端５５１ａおよび第２のピン５５２の先端５５２ａと第１のリード５０３の上端部５０３ａおよび第２のリード５０４の上端部５０４ａとの間は間隔が保持されて接触しない。
【００２０】
導電部材５５５は弾性金属部材（例えばばね）、金属リードまたは上部発光体５５ａの第１のリード５５１のピンであり、その形態は図面に示すばね構造に限定されない。
【００２１】
下部発光体５５ｂは、内管５４のビーム管５４４内に倒立設置され、内管５４と位置決めスリーブ５３とが係合されて下部発光台５２が構成される。下部発光体５５ｂの第１のピン５５３および第２のピン５５４の上端は何れも外部に延伸し、回動に従って第１のリード５０３の下端部５０３ｂおよび第２のリード５０４の下端部５０４ｂと電気的に接続されたり、接続が解除されたりする。詳細な構造の説明は図７、８の説明部分で行う。
【００２２】
回動スリーブ４０内壁には、対称に設置された長形の第１の位置決め溝４０１および第２の位置決め溝４０２を有する。位置決めスリーブ５３は回動スリーブ４０内に設けられ、その外周壁両側には第１の位置決め溝４０１および第２の位置決め溝４０２に対応して嵌入される第１の位置決め凸条５３１および第２の位置決め凸条５３２が設けられ、第１の位置決め溝４０１および第２の位置決め溝４０２に第１の位置決め凸条５３１および第２の位置決め凸条５３２が嵌合されることにより、位置決めスリーブ５３は回動スリーブ４０と同時に回動する。
【００２３】
内管５４は、二つの対称のケーシング５４ａ、５４ｂから構成され、上半分および下半分に分けられ、上半分は管径が大きく、電池９が収容される挟持台５４３が形成され、下半分は管径が小さく、下部発光体５５ｂおよびリフィルセット３が収容されるビーム管５４４が形成される。ビーム管５４４は位置決めスリーブ５３内に挿入され、その上端両側は外部に突出した位置決め凸部５４１、５４２を有し、位置決めスリーブ５３上端両側の挟持溝５３３、５３４内に嵌入されて固定される。それによって、回動スリーブ４０の回動に連れて位置決めスリーブ５３および内管５４も同時に回動する。
【００２４】
図１、２に示すように、軸筒１内に固定される位置決め筒部４１の内壁には縦方向に凸条４１２が設けられ、これに対して上部発光台５０の外周壁には該凸条４１２が係合される位置決め案内溝５０１を有し、上部発光台５０は位置決め筒部４１のとの係合によって回動しない。また、回動スリーブ４０上端は切欠状の位置決め溝４０３を有し、位置決め筒部４１底部は下方に突出してこの位置決め溝４０３に対応した固定部４１１を有する。図３に示すように、固定部４１１の幅は位置決め溝４０３の幅よりも小さく、位置決め筒部４１が固定されて動かないとき、回動スリーブ４０は時計方向または逆時計方向に若干の角度回動し、位置決め溝４０３の側壁が固定部４１１に接触した後は回動しないので、回動角度は規制される。
【００２５】
制御部６は、位置決め筒部４１上に設置されるガイド６２と、一端がガイド６２内に設けられる中空の上部ジョイント６０と、一端がガイド６２内に設けられ、上部ジョイント６０下部に位置する中空の下部ジョイント６１と、から構成される。下部ジョイント６１の底部には少なくとも一つの導電部材６１１（図面上では一つ）が設けられ、導電部材６１１の幅は嵌合溝５０５と嵌合溝５０７との間隔および嵌合溝５０６と嵌合溝５０８との間隔よりも大きく、それによって導電部材６１１を上部発光体５５ａの第１のピン５５１の先端５５１ａと第１のリード５０３の上端部５０３ａとの間、または第２のピン５５２の先端５５２ａと第２のリード５０４の上端部５０４ａとの間に配置することができる。
【００２６】
図１、４に示すように、ボタン７は、投光用として使用する場合は中空管であり、その底部は押圧台７０によって上部ジョイント６０と螺合され、上部には第２のレンズ７１ｂまたは第１のレンズ７１ａおよび第２のレンズ７１ｂが設置される。これによって上部発光体５５ｂの光線はボタン７およびレンズを通過して照明としての機能を達成する。本実施例のボタン７がスライド機能を有するボタンである場合、底端が上部ジョイント６０上に直列接続される中空の押圧台７０と、押圧台７０内に設けられる第１のレンズ７１ａと、押圧台７０内に設置され、第１のレンズ７１ａ上に位置する中空の押圧ヘッド７２と、押圧ヘッド７２上端に設けられる第２のレンズ７１ｂと、から構成される。押圧ヘッド７２は図４に示すように、その下端にスライドフィルム８が位置決めされるスライド溝７２２を有し、上端には第２のレンズ７１ｂが収容されるレンズ溝７２１を有し、図１５に示すように、上部発光体５５ａが発光後、光線はスライドフィルム８、第１のレンズ７１ａおよび第２のレンズ７１ｂを通過した後、スライドフィルム８の図案を受光面に投影することができ、それによってペンの娯楽性を高めたり、優れた広告機能を備えさせることができる。
【００２７】
図５は、本考案の透明先端部２を時計回りに回動させた状態を示す斜視図である。図に示すように、使用者が透明先端部２を時計方向に回動させると、回動スリーブ４０も同時に回動し、回動スリーブ４０に係合された位置決めスリーブ５３および位置決めスリーブ５３に係合された内管５４も同時に時計回りに回動する。図７に示すように、内管５４が時計回りに回動すると、下部発光体５５ｂの第１のピン５５３末端と上部発光台５０の第２のリード５０４の下端部５０４ｂは離れて接触せず、同様に、第２のピン５５４と上部発光台５０の第１のリード５０３の下端部５０３ｂも離れて接触しない。このとき、電池９下端の正の電流は第２のリード５０４を経由して上部発光体５５ａに供給されず、電池９上端の負の電流も第１のリード５０３を経由して下部発光体５５ｂに供給されないので、使用者がボタン７を如何に押圧しても、第１の発光体５５ａおよび第２の発光体５５ｂは何れも発光せず、使用者が誤ってボタン７を押圧して第１の発光体５５ａおよび第２の発光体５５ｂを発光させてしまう状況は発生しない。
【００２８】
図６は、本考案の透明先端部２を逆時計回りに回動させた状態を示す斜視図である。図に示すように、使用者が透明先端部２を逆時計方向に回動させたとき、回動スリーブ４０も同時に回動し、回動スリーブ４０に係合された位置決めスリーブ５３および位置決めスリーブに係合された内管５４も同時に逆時計回りに回動する。内管５４が逆時計回りに回動したとき、図８に示すように、下部発光体５５ｂの第１のピン５５３と上部発光台５０の第２のリード５０４の下端部５０４ｂとは接触して電気的に接続され、同様に、下部発光体５５ｂの第２のピン５５４と上部発光台５０内の第１のリード５０３の下端部５０３ｂとは接触して電気的に接続される。従って、電池９下端の正の電流は下部発光体５５ｂの第１のピン５５３を経由して第２のリード５０４に流れるが、上部発光体５５ａの第２のピン５５２の先端５５２ａは第２のリード５０４の上端部５０４ａと接触していないので、正の電流を上部発光体５５ａに伝導することができない。また、このとき、下部発光体５５ｂの第２のピン５５４は第１のリード５０３の下端部５０３ｂと接触するが、上部発光体５５ａの第１のピン５５１の先端５５１ａは第１のリード５０３の上端部５０３ａと接触していないので、電池９の負の電流は下部発光体５５ｂに伝導されない。しかし、このときの発光装置５は半通電状態であるので、ボタン７を押圧し、制御部６の方向を変更することによって導電部材６１１を移動させることができ、それによって第１の発光体５５ａまたは第２の発光体５５ｂの何れかを発光させることができる。この時の動作の説明を下記に示す。
【００２９】
図９は使用者がボタン７を押圧して下部発光体５５ｂを発光させる状態を示す斜視図である。使用者がボタン７を押圧した後、制御部６の上部ジョイント６０がガイド６２内で昇降することによって、下部ジョイント６１を回動させる。図１１に示すように、下部ジョイント６１が回動したとき、底部の導電部材６１１が上部発光体５５ａの第１のピン５５１の先端５５１ａおよび上部発光台５０の第１のリード５０３の上端部５０３ａ上方と接続され、導電部材６１１が第１のピン５５１と第１のリード５０３との間の導電ブリッジとなる。図１３に示すように、図中に示す電池９上端の負の電流は導電部材５５５、上部発光体５５ａの第１のピン５５１、導電部材６１１および上部発光台５０の第１のリード５０３を経由して下部発光体５５ｂの第２のピン５５４に伝導される。電池９の下端は終始下部発光体５５ｂの第１のピン５５３と接触するので、正の電流は下部発光体５５ｂに供給され、下部発光体５５ｂは正および負の電流を取得して即時に発光し、光線は下方の透明先端部２を通過して投射されるので、使用者は夜間での筆記作業を行うことができる。
【００３０】
また、図１０は使用者がボタン７を操作して上部発光体５５ａを発光させる状態を示す斜視図である。使用者が再度ボタン７を押圧すると、制御部６の下部ジョイント６１が再度回動する。図１２に示すように、回動後、下部ジョイント６１底部の導電部材６１１は丁度上部発光体５５ａの第２のピン５５２の先端５５２ａおよび上部発光台５０の第２のリード５０４の上端部５０４ａ上方と接触する。図１４に示すように、図中に示す電池９の正の電流は下部発光体５５ｂの第１のピン５５３、上部発光台５０の第２のリード５０４および導電部材６１１を経由して上部発光体５５ａの第２のピン５５２に伝導され、電池９の負の電流は、導電部材５５５を通じて上部発光体５５ａの第１のピン５５１に伝導されるので、このときの上部発光体５５ａは正および負の電流を取得して発光でき、光線は上方の中空のボタン７を通過して投射され、使用者は夜間の照明として使用することができる。
【００３１】
図１５、１６は本考案のボタン操作後の状態を示す模式図である。図１５に示すように、発光ペン内の上部発光体５５ａが発光したとき、光線はボタン７内のスライドフィルム８を通過し、スライドフィルム８の図案が受光物表面に投影される。第１のレンズ７１ａが集光作用を有し、第２のレンズ７１ｂが拡大効果を有するので、発光ペンから離れるほど受光物に投影される図案は大きくなり、近づくほど小さくなる。それによって発光ペンの娯楽性を高めたり、優れた広告機能を備えさせることができる。
【００３２】
図１６に示すように、発光ペン内の下部発光体５５ｂが発光したとき、光線は下端の透明先端部２を通過して紙面上に照射され、使用者は夜間の筆記作業に使用することができる。
【００３３】
上述の図１５、１６に示す発光方式は、使用者がボタン７を押圧することによって第１の発光体５５ａまたは第２の発光体５５ｂが発光し、第１の発光体５５ａおよび第２の発光体５５ｂはボタン７を２回押圧すれば１回発光する。従って、従来技術によるボタンを６回押圧して１回の発光機会を取得する方式と比較して便利である。
【００３４】
図１７、１８は使用者が手で透明先端部２を回動させる状態を示す模式図である。図１７は使用者が透明先端部２を逆時計回りに回動させた後、発光ペン内の発光装置５が半通電状態になった状態を示し、ボタン７を押圧後、上部発光体５５ａが発光し（或いは下部発光体５５ｂが発光）、光線は第１のレンズ７１ａおよび第２のレンズ７１ｂを通過して外部に直接投射され、照明として使用できる。
【００３５】
図１８は使用者が透明先端部２を時計回りに回動させた後、発光ペン内の発光装置５が非通電状態になった状態を示し、上部発光体５５ａおよび下部発光体５５ｂは発光せず、ボタン７を押圧しても発光しないので、この状態のとき、発光ペンを適当な位置に放置することができる。
【００３６】
以上の図面に基づいた実施例の詳細な説明は本考案の構造、特徴および効果を示し、当該技術に熟知する者は本考案の主旨を逸脱しない範囲において各種の変更を行うことができ、それらは全て本考案の実用新案登録請求の範囲に含まれる。
【図面の簡単な説明】
【００３７】
【図１】本考案の発光ペンを示す分解斜視図である。
【図２】本考案の発光ペンのスイッチ部、発光装置および制御部の構造を示す分解斜視図である。
【図３】本考案の発光ペンを示す斜視図である。
【図４】本考案の発光ペンを示す断面図である。
【図５】本考案の透明先端部を時計回りに回動させた状態を示す斜視図である。
【図６】本考案の透明先端部を逆時計回りに回動させた状態を示す斜視図である    。
【図７】本考案の透明先端部を時計回りに回動させた後、発光装置が非通電状態になった状態を示す斜視図である。
【図８】本考案の透明先端部を逆時計回りに回動させた後、発光装置が半通電状態になった状態を示す斜視図である。
【図９】使用者がボタンを押圧して下部発光体を発光させる状態を示す斜視図である。
【図１０】使用者がボタンを操作して上部発光体を発光させる状態を示す斜視図である。
【図１１】図９に示す導電部材と上部発光体の第１のピンと上部発光台の第１のリードとが接続された状態を示す断面図である。
【図１２】図１０に示す導電部材と上部発光体の第２のピンと上部発光台の第２のリードとが接続された状態を示す断面図である。
【図１３】図１１の構造を示す斜視図である。
【図１４】図１２の構造を示す斜視図である。
【図１５】本考案のボタン操作後の状態を示す模式図である。
【図１６】本考案のボタン操作後の状態を示す模式図である。
【図１７】使用者が手で透明先端部を回動させる状態を示す模式図である。
【図１８】使用者が手で透明先端部を回動させる状態を示す模式図である。
【符号の説明】
【００３８】
１  軸筒
１０  スリーブ
１１  上部位置決めリング
１２  下部位置決めリング
１３  クリップ
２  透明先端部
３  リフィルセット
３０  リフィル
３１  拡張ばね
４  スイッチ部
４０  回動スリーブ
４０１  第１の位置決め溝
４０２  第２の位置決め溝
４０３  位置決め溝
４１  位置決め筒部
４１１  固定部
４１２  凸条
５  発光装置
５０  上部発光台
５０１  位置決め案内溝
５０２  係合溝
５０３  第１のリード
５０４  第２のリード
５０３ａ、５０４ａ  上端部
５０３ｂ、５０４ｂ  下端部
５０５、５０６、５０７、５０８  嵌合溝
５１  タペット
５１１  弾性フック
５２  下部発光台
５３  位置決めスリーブ
５３１  第１の位置決め凸条
５３２  第２の位置決め凸条
５３３、５３４  挟持溝
５４  内管
５４１  第１の位置決め凸部
５４２  第２の位置決め凸部
５４３  挟持台
５４４  ビーム管
５４ａ、５４ｂ  ケーシング
５５ａ  上部発光体
５５１  第１のピン
５５１ａ  先端
５５２  第２のピン
５５２ａ  先端
５５ｂ  下部発光体
５５３  第１のピン
５５４  第２のピン
５５５  導電部材
６  制御部
６０  上部ジョイント
６１  下部ジョイント
６１１  導電部材
６２  ガイド
７  ボタン
７０  押圧台
７１ａ  第１のレンズ
７１ｂ  第２のレンズ
７２  押圧ヘッド
７２１  レンズ溝
７２２  スライド溝
８  スライドフィルム
９  電池
【図１】
0003143014.tif 000003
【図２】
0003143014.tif 000004
【図３】
0003143014.tif 000005
【図４】
0003143014.tif 000006
【図５】
0003143014.tif 000007
【図６】
0003143014.tif 000008
【図７】
0003143014.tif 000009
【図８】
0003143014.tif 000010
【図９】
0003143014.tif 000011
【図１０】
0003143014.tif 000012
【図１１】
0003143014.tif 000013
【図１２】
0003143014.tif 000014
【図１３】
0003143014.tif 000015
【図１４】
0003143014.tif 000016
【図１５】
0003143014.tif 000017
【図１６】
0003143014.tif 000018
【図１７】
0003143014.tif 000019
【図１８】
0003143014.tif 000020